(57)【特許請求の範囲】
【請求項１】
ケーシング内に移動板を移動可能に配設し、該ケーシングと移動板の厚さ方向に複数のピン孔が連通可能に設けられ、該各ピン孔にアンダーピンとコードピンがばねにより付勢されて摺動可能に収容され、該ピン孔の横断方向に設定カード挿入長孔とカードキー挿入長孔が形成され、該移動板に作動板が連結され、カードキーにより該移動板を押して移動させたとき、該作動板が掛金機構の掛金を動かして解錠するカード式錠において、
前記ケーシング内の一部にマスター錠が装着され、該マスター錠は、角筒形のハウジングと、該ハウジング内に前記移動板と同じ方向に移動可能に挿入され内部にキー挿入長孔を設けた移動体と、該ハウジングと該移動体内に連通可能で該キー挿入長孔の横断方向に穿設されたピン孔内にばねにより付勢されて摺動可能に収容されたアンダーピン及びコードピンと、を備え、
該移動体に該マスター錠用の作動板が連結され、マスターキーにより移動体を押して移動させたとき、該マスター錠用の作動板が前記掛金機構の掛金を動かして解錠することを特徴とするカード式錠。
【請求項２】
前記マスター錠は前記ケーシング内に形成した角孔内に脱着可能に挿入・嵌着されていることを特徴とする請求項１記載のカード式錠。
【発明の詳細な説明】
【０００１】
【発明の属する技術分野】
本発明は、複数のピン対応孔を設けた設定カードによりタンブラピンの解錠位置を設定し、複数のピン対応孔を設けた所定のカードキーにより解錠するカード式錠に関し、特にマスターキーにより解錠可能なカード式錠に関する。
【０００２】
【従来の技術】
従来、ケーシング内に移動板を移動可能に収納し、ケーシングと移動板の厚さ方向に多数のピン孔を設けると共に、それらのピン孔に、ばね、タンブラピン、ボールを順に挿入し、ケーシング内に設定カード用の挿入長孔とカードキー用の挿入長孔を設けたカード式錠が、例えば特開昭５３−１４６８９９号公報により提案されている。
【０００３】
【発明が解決しようとする課題】
このカード式錠は、所定の位置にピン対応孔を穿設した設定カードを設定カード用の挿入長孔に差し込んで、タンブラピンの解錠位置を設定し、そのタンブラピンの解錠位置に対応したピン対応孔を穿設したカードキーを、カードキー用の挿入長孔に差し込むことにより、移動板の移動面とタンブラピン（アンダピンとコードピン）の当接面を一致させて、解錠するように動作する。
【０００４】
しかし、この従来のカード式錠は、各タンブラピンの上に２個のボール（鋼球）を配置するようにピン孔に挿入するため、ボールの部品点数が増大し、多数のボールをピン孔に挿入する作業も煩雑で、工数が増大する問題があった。
【０００５】
そこで、本発明者らは、設定カード挿入長孔とカードキー挿入長孔を移動板内に形成し、各コードピンの上方のピン孔に１個のボールを収容し、設定カード挿入長孔に挿入された設定カードをコードピンとボールとの間に差し込み、これによって解錠用のカードキーの孔の位置を設定する簡易な構造のカード式錠を、特開平９−２９１７２９号公報により提案した。
【０００６】
このカード式錠は、部品点数が少なく、製造が容易にできるため、例えば病院の各病室で使用される小物入れの扉や引き出し等に、この種のカード式錠は便利に使用されるが、それらの管理上、マスターキーが必要となる場合がある。しかしながら、この種のカード式錠は、設定カードを使用して任意の解錠符号を作る、つまりタンブラピンの解錠位置を任意に設定するため、そのようなすべてのカードキーに設定されたすべてのカード式錠を解錠可能なマスターキーを作ることが難しいという問題があった。
【０００７】
本発明は、上記の点に鑑みなされたもので、所定のマスターキーを用いて解錠可能なカード式錠を提供することを目的とする。
【０００８】
【課題を解決するための手段】
上記目的を達成するために、本発明のカード式錠は、ケーシング内に移動板を移動可能に配設し、ケーシングと移動板の厚さ方向に複数のピン孔が連通可能に設けられ、各ピン孔にアンダーピンとコードピンがばねにより付勢されて摺動可能に収容され、ピン孔の横断方向に設定カード挿入長孔とカードキー挿入長孔が形成され、移動板に作動板が連結され、カードキーにより移動板を押して移動させたとき、作動板が掛金機構の掛金を動かして解錠するカード式錠において、
ケーシング内の一部にマスター錠が装着され、マスター錠は、角筒形のハウジングと、ハウジング内に移動板と同じ方向に移動可能に挿入され内部にキー挿入長孔を設けた移動体と、ハウジングと移動体内に連通可能でキー挿入長孔の横断方向に穿設されたピン孔内にばねにより付勢されて摺動可能に収容されたアンダーピン及びコードピンと、を備え、移動体にマスター錠用の作動板が連結され、マスターキーにより移動体を押して移動させたとき、マスター錠用の作動板が掛金機構の掛金を動かして解錠することを特徴とする。
【０００９】
【発明の作用・効果】
このような構成のカード式錠は、先ず使用に際し、一部のピン孔に対応した孔を設けた設定カードを、設定カード挿入長孔に差し込んで、解錠用のカードキーを設定する。設定されたカードキーの孔の位置は設定カードの孔の位置とは相違しており、孔のない位置のコードピンは設定カードにより押し下げられ、コードピンとアンダーピンの当接面は解錠位置となる。
【００１０】
解錠する際には、設定されたカードキーをカードキー挿入長孔に差し込む。このとき、設定カードの孔を通るボールとコードピンはカードキーの板厚の距離だけ押し下げられ、コードピンとアンダーピンの当接面は解錠位置となり、設定カードの孔を通らないつまり設定カードにより押し下げられたコードピンの上のボールは、カードキーの孔に入り、そのコードピンは解錠位置のままである。所定のカードキーを差し込むことにより解錠状態となり、このまま移動板をカードキーにより押して移動させ、移動板に連結された掛金機構を解錠動作させる。
【００１１】
マスターキーを使用して解錠する場合、マスターキーをマスター錠のキー挿入長孔に差し込むと、所定の位置で、マスターキーの表面に設けた凹部がコードピンを所定位置に押しこみ、コードピンとアンダーピンとの境界を移動体の境界面に一致させる。
【００１２】
これにより、マスター錠は解錠状態となり、更にマスターキーを持って移動体を押すと、移動体が移動し、この移動体の移動によって、マスター錠用の作動板を介して掛金機構が作動し解錠状態となる。このように、管理上必要な場合には、マスター錠を使用してカード式錠を開くことができる。マスター錠は小形に形成でき、カード式錠のケーシングの一部に装着することができるため、カード式錠を大型化せずにマスターキーの使用可能な錠を実現することができる。また、マスター錠をケーシング内に形成した角孔内に脱着可能に挿入・嵌着する構造とすれば、マスター錠の交換も容易に行なうことができる。
【００１３】
【発明の実施の形態】
以下、本発明の実施の形態を図面に基づいて説明する。図１はカード式錠の設定カードＫ１とカードキーＣを挿入した状態の正面図を示し、図２はその断面付き背面図を、図３はその断面付き平面図を示している。１は直方体形状のケーシングであり、ケーシング１内に、移動板２が水平方向に所定距離だけ摺動可能に挿入される。移動板２の先端（図３の下端）に、連結部３がケーシング１の底部を貫通して設けられ、連結部３に三角形の先端部を有する作動板４が固定される。
【００１４】
ケーシング１内には、タンブラピン用の多数のピン孔５と、移動板２の位置決め用の位置決め孔６と、大径ピン孔７とが、所定位置に厚さ方向に形成される。また、移動板２にも、上記各ピン孔５に連通可能な位置にピン孔８が厚さ方向に貫通して穿設され、さらに上記大径ピン孔７に連通可能な位置に大径ピン孔９が穿設される。
【００１５】
移動板２の内部には、設定カード挿入用の設定カード挿入長孔１０がスリット状の孔として形成される。設定カード挿入長孔１０は、錠の左右両側からカードを挿入できるように、２つの側に開口部が形成され、同じ側のケーシングにも開口部が形成される。さらに、移動板２内にはケーシング１との間に、カードキーを挿入するためのカードキー挿入長孔１１がスリット状の孔として形成される。このカードキー挿入長孔１１は錠の正面側に開口部が形成される。
【００１６】
ケーシング１に設けた各ピン孔５には、コイルばね１２が挿入され、その上からアンダーピン１５が挿入される。位置決め孔６にはコイルばね１３が挿入され、その上から位置決め用のボール１６が挿入される。さらに、大径ピン孔７には、コイルばね１４が挿入され、その上から大径アンダーピン１７が挿入される。
【００１７】
さらに、移動板２に設けた各ピン孔８内には同じ長さのコードピン１８が挿入され、大径ピン孔９内には大径コードピン１９が挿入される。上記アンダーピン１５とコードピン１８からタンブラーピンが形成され、アンダーピン１５とコードピン１８の当接面が移動板２とケーシング１の境界面Ｍに一致したとき、解錠状態となる。大径アンダーピン１７と大径コードピン１９は、ロック用タンブラーピンを構成し、設定カードが差し込まれてない状態で、移動板２の動きをロックする。
【００１８】
さらに、各ピン孔８内のコードピン１８の上にはボール（鋼球）２０が挿入される。このボール２０の直径は、移動板２の挿入長孔１０から上部の厚さと略同じに設定される。位置決め用のボール１６は、移動板２の下面の所定位置に設けた浅い凹部に嵌入し、移動板１６の位置決めを行なう。大径ピン孔９に挿入したコードピン１９は差し込まれた設定カードＫ１又はＫ２を上方に押すと共に、カードを挿入しないときの移動板１６の動きをロックする。
【００１９】
カードキーＣは、カードキー挿入長孔１１に挿入可能な形状に形成され、そこには解錠用の複数の孔が所定のピン孔８に対応した位置に形成される。それらの孔はカードの長手方向中心線について線対称となるように形成され、錠本体にはその中心線の片側半分にピン孔５、８が形成されることにより、カードキーＣを、リバーシブルつまり何れの面を上にしても挿入可能にしている。
【００２０】
設定カードＫ１はケーシングの横方向から挿入するタイプのもので、設定カードＫ２はケーシングの背面方向から挿入するタイプのもので、各々に複数の孔が所定のピン孔８に対応した位置に形成される。設定カードＫ１、Ｋ２に形成する孔の位置は、解錠符号つまり解錠用カードキーＣの孔の位置を決定するものであり、解錠用カードキーＣの孔の位置は、設定カードＫ１、Ｋ２上に穿設されていないピン孔８に対応した位置に形成される。つまり、設定カードＫ１、Ｋ２の孔の位置と、カードキーＣの孔の位置は一致しない。カードキーＣと設定カードＫ１、Ｋ２の厚さは、同じ厚さに設定される。
【００２１】
更に、ケーシング１内の正面視で左下部にはマスター錠３０が後方に向かって配設される。このマスター錠３０は、図８に示すように、ケーシング１と略同じ長さ（奥行き）の細長い角柱状に形成され、ケーシング１内の左下部に形成した角孔部に挿入して取り付けられる。角孔部はケーシング１の正面側から背面側に貫通して形成される。このマスター錠３０は、図６〜図９に示すごとく、角筒形に形成されたハンジング３１と、ハウジング３１内に挿入され所定距離だけ前後に移動可能な移動体３４と、ハウジング３１の上下に嵌着されるカバー３２、３３とを備えて構成される。
【００２２】
図６に示すように、ハウジング３１の前寄りの上部と下部に、４本づつのピン孔３７が並べて穿設され、各ピン孔３７は角筒形ハウジングの内側に貫通する。ハウジング３１の両側面にカバー３２、３３を係止するための係止部３１ａが形成される。カバー３２、３３の両側には係止爪３２ａ，３３ａが突設され、また、下側のカバー３２の中央には、このマスター錠３０をケーシング１内の角孔に挿入した際、その内側の凹部に係止される係止凸部３２ｂがばね弾性を持って下側に突出して設けられる。
【００２３】
移動体３４はハウジング３１内に挿通可能な角柱形状に形成され、内部にはキー挿入長孔３６が軸方向に形成され、前寄りの上部と下部に、上記ピン孔３７と対応した位置に４本のピン孔４１が穿設される。これらのピン孔４１は、コードピン３９を所定の位置に挿入するように段差部を設けて形成され、キー挿入長孔３６に連通する。移動体３４の末端には、連結部３５がハウジング３１とケーシング１の底部を貫通するように突設される。
【００２４】
なお、上部のピン孔３７、４１と下部のピン孔３７、４１の孔の位置は、相互に左右側に僅かにずらして形成され、マスターキーＭＫをリバーシブルつまり両面共用に使用可能としている。つまり、マスターキーＭＫの両面に上下のピン孔３７、４１に挿入されるタンブラピンの長さに応じた４個の凹部を２列に形成することにより、キーの上下両面を使用可能にしている。
【００２５】
このようなマスター錠３０を組み立てる場合、図６のように、ハウジング３１内の定位置に移動体３４を挿入し、ピン孔３７、４１を合わせた状態で、タンブラピンのコードピン３９とアンダーピン３８を、上下のピン孔３７から各々挿入し、更にそれらの孔にコイルばね４０を挿入する。そして、ハウジング３１の上下を覆うように、その上からカバー３３をその下からカバー３２を被せ、その両側に設けた係止爪３３ａ，３２ａをハウジング側の係止部３１ａに係止させ、カバー３３、３２を嵌着する（図７）。
【００２６】
これでマスター錠３０は、図８、図９の状態となり、各々の長さのコードピン３９が、その先端を各々の突出長さだけキー挿入長孔３６内に突き出して位置した状態となる。各コードピン３９、アンダーピン３８はコイルばね４０により先端方向に付勢され、各アンダーピン３８はハウジング３１と移動体３４の境界である境界面Ｍを交差して位置するため、図９の状態では、移動体３４は移動できず、施錠状態となる。
【００２７】
このようなマスター錠３０は、ケーシング１の左下部に設けた角孔内に差し込み、係止凸部３２ｂをケーシング１側に凹部に係止して所定位置に取り付けられる。その係止凸部３２ｂを押して係止を外せば、マスター錠３０を外すことも可能である。移動体３４の末端に設けた連結部３５は、ハウジング３１とケーシング１の底部を貫通して下側に突出し、連結部３５の下面に三角形の先端部を有する作動板２３が固定される。作動板２３は上記カード式錠の作動板４と平行に並んで配置される。
【００２８】
さらに、ケーシング１の後部には、取付ケース２７内に掛金機構２５が設けられる。掛金機構２５には、三角形の先端部を持つ掛金２６が取付ケース２７内に側方に突出して引込み可能に配設される。掛金２６には取付ケース２７との間に突出し方向に付勢するばね２８が掛けられ、さらに、掛金２６上には上記作動板２３の先端傾斜部に接触するピン２４と、上記作動板４の先端傾斜部に接触するピン２９とが突設される。掛金２６は、ばね２８のばね力により、通常、その先端を取付ケース２７から側方に突出させる。
【００２９】
このような構成のカード式錠は、例えば、病院の病室などに設置する物入れの扉や引き出しなどの施錠装置として使用され、掛金２６に対向した固定側或は移動側（ウイング側）には、図示しない受け具が、掛金２６の先端部に係合しそれをロックする位置に取付けられる。また、このとき、カード式錠の前面つまりカードキーを挿入するカードキー挿入長孔１１の開口部は、扉や引き出しの前面に位置するように、また、設定カード挿入長孔１０の開口部がある側面や背面は、扉や引き出しの内側に位置するように取り付けれる。
【００３０】
設定カードＫ１又はＫ２とカードキーＣは、通常、１つのセットとして合成樹脂等により製作される。設定カード及びカードキーを全く挿入しない状態のカード式錠は、アンダーピン１５が移動板２とケーシング１の境界面Ｍと交差し、移動板２は移動できない。
【００３１】
錠の使用に際し、使用者は先ず、設定カードＫ１又はＫ２を設定カード挿入長孔１０内に差し込む。設定カードＫ１を使用する場合、横方向から挿入長孔１０に差し込み、設定カードＫ２を使用する場合、後方から挿入長孔１０に差し込む。設定カードの差し込み方向は、錠の装着状態に応じて任意に選択することができる。設定カードＫ２を差し込むと、設定カードＫ２はコードピン１８とボール２０との間に進入し、解錠符号つまり解錠用のカードキーの孔の位置を設定する。
【００３２】
このとき、設定カード上の孔２２と一致したコードピン１８はボール２０を上方に押し上げ、コードピン１８とアンダーピン１５の当接面は境界面Ｍと一致せず、施錠状態である。また、複数のコードピン１８と大径コードピン１９はその先端で設定カードＫ１を押し上げ、ガタツキを防止する。そして、このとき、設定カードの孔２２と一致しない位置のコードピン１８とアンダーピン１５の当接面は、境界面Ｍに一致する。
【００３３】
設定カードＫ２を差し込んだ状態で、カードキーＣを前面からカードキー挿入長孔１１に差し込むと、図４に示すように、孔のないボール２０とコードピン１８はカードキーにより少し押し下げられ、コードピン１８とアンダーピン１５の当接面が境界面Ｍに一致する。したがって、これで移動板２は移動可能な状態となり、そのままカードキーＣを押込むことにより、移動板２を後方に移動させる。この移動板２の移動と共に、作動板４が後方に突き出すように移動し、その動きがピン２９を介して、掛金２６を図３の左方つまり引込む方向に移動させ、解錠状態となる。
【００３４】
このとき、カードキーＣは、多数のボール２０、コードピン１８によりケーシング１に押付けられているため、それを引き戻せば、位置決め孔６内のボール１６の位置決め作用もあって、容易に移動板２を元の位置に戻すことができる。その後、さらにカードキーＣを引けば、カードキーＣはカードキー挿入長孔１１から引き出され、再び施錠状態となる。
【００３５】
カードキーＣを紛失したような場合、マスターキーにより解錠する際には、マスターキーＭＫをマスター錠３０内に挿入して解錠する。即ち、マスターキーＭＫを正面左下部のキー挿入長孔３６に差し込むと、所定の位置で、マスターキーＭＫの表面に設けた凹部が上下各４本のコードピン３９を所定位置に押しこみ、それらの各コードピン３９とアンダーピン３８との境界を、移動体３４の外面の境界面Ｍに一致させる。
【００３６】
これにより、マスター錠３０は解錠状態となり、更にマスターキーＭＫを持って移動体３４を押すと、移動体３４が所定の距離だけ、奥に移動する。この移動板３４の移動によって、作動板２３が後方に突き出すように移動し、その動きがピン２４を介して、掛金２６を図３の左方つまり引込む方向に移動させ、解錠状態となる。このように、管理上必要な場合には、マスター錠３０を使用してカード式錠を開くことができる。
【００３７】
なお、マスター錠３０には移動体３４を施錠位置に戻すための戻しばねを設けることもできる。
【図面の簡単な説明】
【図１】本発明の一実施形態を示すカード式錠の正面図である。
【図２】同カード式錠の断面付きの背面図である。
【図３】同カード式錠の断面付きの平面図である。
【図４】図３のIV-IV 断面図である。
【図５】図３のV-V 断面図である。
【図６】マスター錠３０の分解斜視図である。
【図７】マスター錠３０の分解斜視図である。
【図８】マスター錠３０の斜視図である。
【図９】マスター錠３０を装着した部分の断面図である。
【符号の説明】
１−ケーシング
２−移動板
３−連結部
４−作動板
５、８−ピン孔
１０−設定カード挿入長孔
１１−カードキー挿入長孔
１５−アンダーピン
１８−コードピン
２０−ボール
２３−作動板
２５−掛金機構
３０−マスター錠
３１−ハウジング
３４−移動体
３５−連結部
３６−キー挿入長孔
３７−ピン孔
３８−アンダーピン
３９−コードピン
【図１】
0004105288.tif 000002
【図２】
0004105288.tif 000003
【図３】
0004105288.tif 000004
【図４】
0004105288.tif 000005
【図５】
0004105288.tif 000006
【図６】
0004105288.tif 000007
【図７】
0004105288.tif 000008
【図８】
0004105288.tif 000009
【図９】
0004105288.tif 000010